(57)【特許請求の範囲】
【請求項１】
遊技盤の前面に突設された遊技球ガイド用の外レールと、該外レールの内側に突設されて外レールとの間に遊技球誘導経路を形成する内レールと、該遊技球誘導経路の下方に位置し遊技球誘導経路内に遊技球を発射する遊技球発射装置と、該遊技球誘導経路の上部に位置し遊技球誘導経路内を上昇移動する遊技球を前記遊技盤の遊技領域内へ放出する出口部と、該遊技球発射装置から該遊技球誘導経路内へ発射された後で該出口部を越えずに下方へ戻ってきたファール球を受け入れるファール球排出口と、を備えたパチンコ遊技機において、
前記内レールは、上端部が前記遊技領域の略中間高さ位置にて終端する内レール下片と、該内レール下片の上部内側寄りの遊技盤面から上方へ延びて前記外レールとの間で誘導経路幅広部及び前記出口部を形成する内レール上片と、を備え、
前記外レール片と前記内レール下片との間には誘導経路幅狭部が形成され、
前記内レール下片の上部と前記内レール上片の下部との間の遊技盤面に前記ファール球排出口を配置し、
前記外レールに対する前記内レール上片の位置を、該外レールと該内レール上片との間の間隔が前記出口部から前記ファール球排出口へ向かうに連れて漸増するように前記遊技領域の内側へ変位させた構成とし、
前記誘導経路幅広部の間隔は、幅が最大となる最下部が、少なくとも前記誘導経路幅狭部の２倍となるように設定することにより、下方へ戻って来た前記ファール球が上昇移動してくる後発発射球とすれ違うことができるように設定されていることを特徴とするパチンコ遊技機。
【請求項２】
前記内レール上片を緩衝材料にて構成し、内レール上片に落下したファール球が跳ねることなく、内レール上片に沿って落下して前記ファール球排出口に内に落下し得るように構成したことを特徴とする請求項１に記載のパチンコ遊技機。
【請求項３】
前記内レール下片上部と前記外レールとの間の遊技球誘導経路内に、中間球戻り防止部材を突出させて、該誘導経路幅広部内を逆戻りしてきた遊技球を該中間球戻り防止部材によりファール球排出口へ導くように構成したことを特徴とする請求項１又は２に記載のパチンコ遊技機。
【発明の詳細な説明】
【０００１】
【発明の属する技術分野】
本発明は、パチンコ遊技機の改良に関し、特に遊技球発射装置から遊技球誘導経路内に発射された遊技球がファール球となって誘導経路内を逆戻りした場合に後続の発射球と衝突することを防止するようにしたパチンコ遊技機に関するものである。
【０００２】
【従来の技術】
パチンコ遊技機は、図３（ａ）の正面図に示すように木枠１と、木枠１に対して蝶番によって一側端縁を前後方向へ開閉自在に軸支された前面枠２と、前面枠２によって前後方向へ開閉自在に軸支されたガラス扉３と、前面枠２の内側に着脱自在に取り付けられた遊技盤４と、遊技盤４の背面側に蝶番を介して開閉自在に取り付けられた図示しない合成樹脂製の機構板と、を備えている。
ガラス扉３の下方には、前板６が図示しない発射レールや打球杆を覆うように開閉可能に取り付けられ、前板６の前面には打球供給皿７が設けられる。前面枠２の下部には、遊技球発射装置の一部を構成する遊技球発射ハンドル８が配置されると共に、打球供給皿７上に貯留し切れなくなった遊技球やファール球を貯留する下皿９が配置されている。
遊技盤４の前面を構成する遊技領域１１には、例えば中央に複数の図柄を順次上下に移動（回動）させながら表示する図柄変動表示装置１２が配置され、その周囲には入賞口１３、風車１４などの盤面部品、遊技釘が配置される。
遊技盤４の左側縁には、遊技機の下部に配置された遊技球発射装置から発射された遊技球を遊技領域１１内に導くための遊技球誘導経路２１が上下方向へ延びて形成されている。遊技球誘導経路２１は、遊技盤４の左側縁に沿って円弧状に配設された外レール２２と、この外レール２２の内側（遊技領域側）の遊技盤面上に突設される内レール２３との間に形成される遊技球の通路である。外レール２２及び内レール２３は、一定幅の帯状金属薄板を所定のＲ形状に湾曲させたものを、遊技盤面に立設固定した構成を備えている。また、遊技球誘導経路２１の上部には遊技球誘導経路内を上方へ移動する遊技球を遊技盤４の遊技領域１１内に放出する出口部２４が配置され、更に出口部２４には、遊技球誘導経路２１から放出された遊技球が遊技球誘導経路内に逆戻りすることを防止する球戻り防止部材２５が配置されている。また、遊技球発射装置から遊技球誘導経路内へ発射された後で球戻り防止部材を越えずに下方へ戻ってきたファール球を受け入れる図示しないファール球排出口が遊技球誘導経路２１の下部に配置されている。
球戻り防止装置２５は、内レール２３の上部に相当する遊技盤面に固定した基部２５ａと、基部２５ａによって回動可能に支持され且つ出口部２４を塞ぐように突出した舌片２５ｂ等を備えている。常時において出口部２４を塞ぐ舌片２５ｂは、遊技球誘導経路２１内を上昇し出口部２４から放出される遊技球に押圧されて退避してその通過を許容する一方で、遊技球が出口部２４を通過した後には図示した閉止位置に弾性的に復帰するように構成されている。
【０００３】
ところで、遊技球発射装置により発射された遊技球の内、発射時の運動エネルギーが充分でない遊技球は戻り防止装置２５の舌片２５ｂを越えずにファール球として両レール間を落下し、ファール球排出口から下皿９へ導かれる。つまり、発射された遊技球は、上昇時には外レール２２に沿って移動するが、勢いのない遊技球は外レールを離脱して内レール２３上に落下し、内レールに沿って下方へと誘導される。従来の誘導経路２１の幅は狭いため、ファール球Ｂ１が遊技球誘導経路２１内を逆戻りしている際に、次の遊技球Ｂ２が発射されて上昇してくると、図３（ｂ）に示すように、次の発射球Ｂ２が遊技球誘導経路２１内でファール球Ｂ１と衝突して上昇力を失い、出口部２４から遊技領域１１内に円滑に飛入ることができなくなる。このような現象は、更に後続の発射球との衝突の繰り返しを誘発する原因ともなり、遊技の連続性を阻害し、遊技者の興趣を半減させる結果をもたらしている。
特に、第二種に属するパチンコ遊技機のように、発射球が遊技領域に飛入る僅かなタイミングのずれが入賞球の発生率を左右する重要な要素となる場合には、上記の如く遊技者が意図したタイミングで発射球が遊技領域内に飛入しなくなる現象は、当該機種の人気を低下させる原因となるため、この点の改善が強く求められている。
遊技経路内での遊技球同志の衝突を防止するために、例えば内レール２３の位置を全体的に更に内側に配置して誘導経路２１の幅を拡張することも考えられるが、内レール全体を内側に変位させる分だけ遊技領域の面積が狭くなって盤面部品等の配置、レイアウトを制限する結果をもたらすため、有効な解決方法ではない。また、単純に誘導経路幅を拡張したとしても、同じ誘導経路内をファール球と後続発射球とが逆方向へ移動する事態に変わりがないため、両者の衝突を完全に防止することは困難であった。
【０００４】
【発明が解決しようとする課題】
本発明は上記に鑑みてなされたものであり、遊技球発射装置から発射されて内外レール間に形成される遊技球誘導経路内を上昇する遊技球がファール球となって落下し、後続発射球と衝突することにより発生する後続発射球の運動エネルギーの減殺、遊技領域内へ飛入るタイミングの遅れ等といった不具合を一挙に解決して、遊技の円滑性、面白さを高めることができるパチンコ遊技機を提供することを課題とする。
【０００５】
【課題を解決するための手段】
上記課題を解決するため、請求項１の発明は、遊技盤の前面に突設された遊技球ガイド用の外レールと、該外レールの内側に突設されて外レールとの間に遊技球誘導経路を形成する内レールと、該遊技球誘導経路の下方に位置し遊技球誘導経路内に遊技球を発射する遊技球発射装置と、該遊技球誘導経路の上部に位置し遊技球誘導経路内を上昇移動する遊技球を前記遊技盤の遊技領域内に放出する出口部と、該遊技球発射装置から該遊技球誘導経路内へ発射された後で該出口部を越えずに下方へ戻ってきたファール球を受け入れるファール球排出口と、を備えたパチンコ遊技機において、前記内レールは、上端部が前記遊技領域の略中間高さ位置にて終端する内レール下片と、該内レール下片の上部内側寄りの遊技盤面から上方へ延びて前記外レールとの間で誘導経路幅広部及び前記出口部を形成する内レール上片と、を備え、前記内レール下片の上部と前記内レール上片の下部との間の遊技盤面に前記ファール球排出口を配置したことを特徴とする。
パチンコ遊技機においては、発射装置から発射された遊技球を内外レールによって画成される遊技球誘導経路内に沿って上昇させ、該誘導経路の出口部から遊技盤の遊技領域内に飛入させる。発射された遊技球の中には、運動エネルギーが不十分なために、出口部から放出される前に誘導経路の途中で落下を開始するファール球が生じる。ファール球が発生した場合に後続の発射球は狭い誘導経路内でファール球と衝突し、新たなファール球となって落下する。このような現象は、遊技者の興趣を減殺する原因となっている。このような不具合を解消するには、内外レール間の間隔を広げれば良いようにも考えられるが、単純に誘導経路の幅を広げたとしても、ファール球が誘導経路の下方に位置するファール球排出口に達するまでの間に後続の発射球と衝突を起こす可能性が依然として残る。つまり、誘導経路の幅を単純に拡張したとしても、同じ誘導経路内を異なった方向へ移動する遊技球が併存する限り、両者の衝突は回避できない。また、誘導経路全体の幅を拡張すると、遊技領域の全体面積が狭くなる等、他の部品配置等のレイアウトに悪影響を及ぼす虞がある。
そこで、本発明では、内レールの上側の所定範囲だけを遊技領域側に変位させて、誘導経路の上半部だけを幅広に構成することにより、ファール球と後続の発射球との干渉、衝突を防止する一方で、幅広の誘導経路部分を必要最小限の長さに設定して、誘導経路幅広部の下端部であって誘導経路狭幅部と干渉しない部分にファール球排出口を設けた。このため、ファール球の落下経路と後続発射球の上昇経路とが併存する領域は遊技盤の中間高さ位置よりも上側に極限され、それよりも下方の位置にある誘導経路内では両遊技球は絶対に干渉しないようになっている。しかも、相反する方向へ移動する両遊技球の移動経路が併存する領域は、幅広となっているため、両遊技球の干渉は可能な限り防止されることとなる。また、遊技領域の一部に内レール上片を配置して誘導経路幅広部を設けるに過ぎないので、遊技領域が過剰に狭くなったり、部品配置の自由度を妨げる虞がなくなる。更に、前記内レール上片と前記外レールとの間の間隔は、前記出口部から前記ファール球排出口へ向かうに連れて漸増するように構成され（外レールに対する内レール上片の位置を、該外レールと該内レール上片との間の間隔が出口部からファール球排出口へ向かうに連れて漸増するように遊技領域の内側へ変位させた構成とし）、更に外レールと内レール上片との間の誘導経路幅広部の間隔が、該誘導経路幅広部の幅が最大となる最下部が、少なくとも前記誘導経路幅狭部の２倍となるように設定することにより、下方へ戻って来た前記ファール球が上昇移動してくる後発発射球とすれ違うことができるように設定されているため、パチンコ遊ファール球が内レール上に落下した後に内レールに沿ってスムーズに落下することが可能となるばかりか、後続発射球との干渉が発生する可能性が大幅に低減することとなる。
【０００６】
請求項２の発明は、請求項１において、前記内レール上片を緩衝材料にて構成し、内レール上片に落下したファール球が跳ねることなく、内レール上片に沿って落下して前記ファール球排出口に内に落下し得るように構成したことを特徴とする。
遊技球誘導経路の約上半部を幅広部として構成したとしても、外レールに沿って上昇する途中で落下を開始するファール球が内レール上片上で弾んで、後続発射球と干渉する虞はなしとしない。そのため、この発明では、内レール上片の少なくとも一部を緩衝材料にて構成してファール球の弾みを極力抑えて上記不具合を防止するようにしている。従って、内レール上片で弾んだファール球は、ほとんど弾むことなく内レール上片に沿って落下し、ファール球排出口に直行することができる。
請求項３の発明では、請求項１又は２において、前記内レール下片上部と前記外レールとの間の遊技球誘導経路内に、中間球戻り防止部材を突出させて、該誘導経路幅広部内を逆戻りしてきた遊技球を該中間球戻り防止部材によりファール球排出口へ導くように構成したことを特徴とする。
誘導経路幅広部内でファール球となった遊技球が落下する際に、内レール上で弾む等の原因によって誘導経路狭幅部内に入り込む虞もなしとしない。この場合、後続発射球との衝突を回避できなくなる。本発明では、誘導経路狭幅部の上部開口に中間球戻り防止部材の舌片を突出配置したので、ファール球は舌片により誘導経路狭幅部内に逆戻りすることを防止されると共に、そのままファール球排出口へ案内される。
【０００７】
【発明の実施の形態】
以下、この発明に係るパチンコ遊技機を、図面に示した実施形態に基づいて具体的に説明する。
図１は本発明の一実施形態に係るパチンコ遊技機の原理を説明する一部略図であり、図２はその動作を説明する図である。なお、図１、図２中に図示していないパチンコ遊技機の他の構成要素については、図３を併せて参照し、同一部分については同一符号を付し、或いは引用して説明する。
【０００８】
このパチンコ遊技機は、遊技盤４の少なくとも左端縁に沿って円弧状に配置された遊技球ガイド用の外レール２２と、外レール２２の内側（ｘ方向）に配置されて外レール２２との間に上下方向へ延びる遊技球誘導経路２１を形成する円弧状の内レール２３と、遊技球誘導経路２１の下方に位置し遊技球誘導経路２１内に遊技球を発射する図示しない遊技球発射装置と、遊技球誘導経路２１の上端部に位置し遊技球誘導経路内を上方へ移動する遊技球を遊技盤４の遊技領域１１内に放出する出口部２４と、出口部２４に設けられて放出された遊技球が遊技球誘導経路内に逆戻りすることを防止する球戻り防止部材２５と、該遊技球発射装置から該遊技球誘導経路内へ発射された後で出口部２４（球戻り防止部材２５）を越えずに下方へ戻ってきたファール球を受け入れるファール球排出口２６と、を備えている。
遊技盤４の遊技領域１１には、図３に示した如き盤面部品、遊技釘等が取り付けられている。
【０００９】
外レール２２、内レール２３は、共に金属、その他の任意の材料から成る帯状薄板を遊技盤面に立設した構成を備えており、内レール２３は遊技球誘導経路２１内を移動する遊技球が出口部２４以外の場所から遊技領域内に移動することを阻止する仕切手段である。
本発明に係る内レール２３は、上端部３１ａが遊技領域１１の略中間高さ位置にて終端する曲線状の内レール下片３１と、内レール下片３１の上端部３1aの内側寄り（ｘ軸方向寄り）の遊技盤面から上方（ｙ軸方向）へ曲線状に延びて遊技領域上部適所にて終端する内レール上片３２とを備えている。内レール下片３１は対向する位置にある外レール２２部分との間で誘導経路狭幅部２１ａを形成し、内レール上片３２は、対向する位置にある外レール２２部分との間で誘導経路幅広部２１ｂ及び出口部２４を形成する。
誘導経路幅広部２１ｂは、誘導経路狭幅部２１ａよりも広く、出口部２４から下方へ向かうほど幅が漸増するように構成されている。即ち、出口部２４の開口幅は、破線で示した位置にある従来の内レールの上端部と外レールとの間で形成される出口部の開口幅とほぼ同等に狭く設定されている一方で、内レール上片３２の下端部３２ｂの位置は、内レール下片３１の上端部３１ａよりも更に内側に変位しているため、誘導経路２１の略上半部に相当する誘導経路幅広部２１ｂは、下方へ向かうほど幅が漸増する形状となっている。
内レール上片３２の上端部３２ａと、外レール２２との間に形成される出口部２４には球戻り防止部材２５を備えている。球戻り防止部材２５は、遊技盤面に固定した基部２５ａと、基部２５ａによって回動可能に支持され且つ出口部２４を塞ぐように突出した舌片２５ｂ等を備えている。常時において出口部２４を塞ぐ舌片２５ｂは、遊技球誘導経路２１内を上昇し出口部２４から放出される遊技球に押圧されて上方へ退避（開放）してその通過を許容する一方で、遊技球が出口部２４を通過した後には図示した閉止位置に弾性的に復帰するように構成されている。
【００１０】
この実施形態に係るパチンコ遊技機の一つの特徴的な構成は、内レール２３を下上２つの部分３１、３２から構成するとともに、内レール下片３１の上部３１ａと内レール上片３２の下部３２ｂとの間に位置する遊技盤面にファール球排出口２６を配置した点にある。換言すれば、内レール下片３１については、外レール２２との位置関係は従来と同様であるが、内レール上片３２は図１中に点線で示した従来の内レールの位置（内レール下片の延長線）よりも内側位置に配置され、しかも外レール２２との間で形成する誘導経路２１（２１ｂ）の幅が下向きに漸増するように構成している。
なお、内レール下片３１の上部と内レール上片の下部は、夫々の高さ方向位置が一部オーバーラップするように構成してもよいし、オーバーラップしないように構成しても良い。いずれにしても、ファール球排出口２６（及び中間球戻り防止部材２７）を内レール下片３１の上部と内レール上片の下部との間の盤面に配置することにより、ファール球をファール球排出口２６内に導くことができる。
ファール球排出口２６は、逆戻りしてきた遊技球を受け入れて図３に示した下皿９へ導く手段であり、この例では内レール上片３２の下端部３２ｂ寄りの位置に形成されている。また、内レール下片３１の上部３１ａと内レール上片３２の下部３２ｂとの間に位置する遊技盤面には、ファール球排出口２６と隣接した位置に中間球戻り防止部材２７を配置している。中間球戻り防止部材２７は、誘導経路幅広部２１ｂ内を落下してきたファール球が誘導経路狭幅部２１ａ内に進入することを阻止する手段であり、本体２７ａと、舌片２７ｂとから構成されている。舌片２７ｂは、常時においては誘導経路狭幅部２１ａの上部に突出してファール球が誘導経路狭幅部２１ａ内に入り込むことを阻止する一方で、舌片２７ｂ上に落下したファール球を隣接配置したファール球排出口２６内に導くように機能する。一方、舌片２７ｂは、発射装置から新たに発射されて誘導経路狭幅部２１ａ内を上昇してきた遊技球に押圧されて退避し、該遊技球が上方へ移動することを許容する。遊技球の通過後は、舌片は図示の位置に復帰する。
【００１１】
次に、図２に基づいて、本発明のパチンコ遊技機におけるファール球Ｂ１の挙動、及びファール球処理の原理について説明する。本発明では、誘導経路２１の略上半部に誘導経路幅広部２１ｂを設けることにより、誘導経路幅広部２１ｂ内を落下するファール球Ｂ１が新たに発射されてきた遊技球（Ｂ２）とすれ違うことができるだけの幅方向スペースを確保すると共に、ファール球の戻り経路を新たな発射球（Ｂ２）と干渉しないずれた経路となるように配慮している。即ち、新たな発射球（Ｂ２）は外レール２２に沿って上昇してくる一方で、先行して発射されたファール球Ｂ１は内レール上片３２上に落下してそれに沿って下方へ誘導されるため、両者は干渉することがない。
即ち、本発明では、新たな発射球に対するファール球の干渉を確実に防止するため、内レール２３の上部適所、即ち内レール上片３２を従来の内レールの配設位置よりも内側（ｘ軸方向）へ変位させている。即ち、発射装置から発射され誘導経路幅狭部２１ａを上昇してきた遊技球Ｂ１（位置ａ）がｙ＝０の高さを超えた後で、ｙ軸方向への上昇力が無くなると遊技球Ｂ１はファール球となり、外レール２２から離脱を開始する（位置ｂ）が、この際、ファール球としての遊技球Ｂ１は、ｘ軸方向（横方向）へは等速直線運動を、ｙ軸方向（縦方向）へは自由落下運動を行うことになる。そのため、上方へ向かう運動エネルギーを失って外レール２２から離脱したファール球Ｂ１は、ｘ軸方向に変位して配置された内レール上片３２上に落下し（位置ｃ）、その後内レール上片３２に沿って下方へ誘導される。このため、新たに発射されて誘導経路幅広部２１ｂを上昇する遊技球（Ｂ２）の上昇経路とファール球Ｂ１とが干渉する可能性が大幅に減少し、両者が衝突する確率が大幅に低減する。従って、誘導経路幅広部２１ｂの幅は、最大となる位置（最下部）において、少なくとも、誘導経路幅狭部２１ａの幅の約２倍程度となるように設定することが好ましい。
【００１２】
但し、誘導経路幅広部２１ｂの幅などの構成については、機種や周辺部品との関係などの諸条件によって種々選定可能であり、外レール２２に沿って上昇してきた遊技球がファール球となって落下したときに、内レール上片３２上に落下して内レール上片３２に沿って落下する際に、新たに上昇してくる遊技球と干渉しなくなるように各部の寸法を設定すればよい。
また、内レール上片３２に沿って落下したファール球Ｂ１は、内レール上片３２の下端部に沿って配置されたファール球排出口２６内にスムーズに入り込み、図３に示した下皿９へ排出される。また、仮に、ファール球Ｂ１が誘導経路幅狭部２１ａの上端部側に移動したとしても、中間球戻り防止部材２７の舌片２７ｂによって幅狭部内への進入を阻止されるので、必ずファール球排出口２６内に排出されることとなる。
このように本発明では、内レール２３の一部（上部）を内側に変位させて幅広部を設けることにより、先行するファール球と、上昇途上にある後続発射球とが干渉する虞を大幅に低減させているが、内レールの上部を所定の短い範囲に渡って遊技領域側に変位させているに過ぎないので、内レール全体を内側へ変位させる場合程、遊技領域を狭めたり、遊技部品等のレイアウトを損ねる虞がなくなる。しかも、遊技領域１１の中間部よりも上半部の領域は、通常盤面部品等を配置しないデッドスペース化しているので、内レール上片３２を配置するデメリットはない。
【００１３】
次に、内レール上片３２の材料として、ファール球が落下してきたときの衝撃を吸収緩和する緩衝材料を用いることにより、内レール上片に当接したファール球が跳ねて後続発射球の上昇経路と干渉することなく、内レール上片に沿って落下してファール球排出口２６に内に落下し得るように構成してもよい。なお、必ずしも内レール上片３２の全体を緩衝材料とする必要はなく、ファール球が接する部分だけを干渉材料にて構成してもよい。
なお、緩衝材料は、例えば、バネ性、クッション性を有することにより、落下してきたファール球からの衝撃を吸収緩和してファール球が弾むことを防止する手段であればよい。例えば、ゴム、樹脂等を用いても良いし、金属薄板を弾性変形可能に構成し、且つそのように支持することにより、ファール球落下時の衝撃を吸収緩和するように構成してもよい。
このように、本発明においては、内レール２３を上下２つの部分３１、３２から構成し、内レール上片３２だけを内側寄りに変位させて配置することによって、誘導経路幅広部２１ｂを設け、更に誘導経路幅広部２１ｂの下部にファール球排出口２６を設けたので、落下するファール球と新たに発射されてきた遊技球とが干渉する範囲（干渉が発生する可能性がある誘導経路の長さ）を減少させることができ、ファール球によって後続の発射球の上昇エネルギーが減殺されることによる更なるファール球の発生や、遊技領域へ飛入るタイミングのずれ発生等という不具合を一挙に解決できる。このため、遊技の円滑性、面白さを高めることができる。
また、第二種に属するパチンコ遊技機のように、発射球が遊技領域に飛入る僅かなタイミングのずれが入賞球の発生率を左右する重要な要素となる機種においても、遊技者が意図したタイミングで発射球が遊技領域内に飛入しなくなる不利な現象が発生しにくくなるので、当該機種の人気の低下を防止することができる。
【００１４】
【発明の効果】
以上のように本発明によれば、パチンコ遊技機において、遊技球発射装置から発射されて内外レール間に形成される遊技球誘導経路内を上昇する遊技球がファール球となって落下し、後続発射球と衝突することにより発生する後続発射球の運動エネルギーの減殺、遊技領域内へ飛入るタイミングの遅れ等といった不具合を一挙に解決して、遊技の円滑性、面白さを高めることができる。
即ち、請求項１の発明によれば、誘導経路の上半部だけを幅広に構成してファール球と後続の発射球との干渉、衝突を防止する一方で、幅広の誘導経路部分を必要最小限の長さに設定して、誘導経路幅広部の下端部であって誘導経路狭幅部と干渉しない部分にファール球排出口を設けた。このため、ファール球の落下経路と後続発射球の上昇経路とが併存する領域は遊技盤の中間高さ位置よりも上側に極限され、それよりも下方の位置にある誘導経路内では両遊技球は絶対に干渉しない。しかも、相反する方向へ移動する両遊技球の移動経路が併存する領域は、幅広となっているため、両遊技球の干渉は可能な限り防止されることとなる。また、遊技領域の一部に内レール上片を配置して誘導経路幅広部を設けるに過ぎないので、遊技領域が過剰に狭くなったり、部品配置の自由度を妨げる虞がなくなる。更に、誘導経路幅広部の幅を、ファール球排出口へ向かうに連れて漸増するように構成し、しかも外レールと内レール上片との間（誘導経路幅広部）の間隔が、少なくとも幅が最大となる最下部において、前記誘導経路幅狭部の２倍となるように設定することにより、下方へ戻って来たファール球が遊技球発射装置から発射されて上昇移動する遊技球（後発発射球）とすれ違うことができるように設定したので、ファール球が内レール上に落下した後に内レールに沿ってスムーズに落下することが可能となるばかりか、後続発射球との干渉が発生する可能性が大幅に低減することとなる。
【００１５】
次に、遊技球誘導経路の約上半部を幅広部として構成したとしても、外レールに沿って上昇する途中で落下を開始するファール球が内レール上片上で弾んで、後続発射球と干渉する虞は残る。そのため、請求項２の発明では、内レール上片の少なくとも一部を緩衝材料にて構成してファール球の弾みを極力抑えて上記不具合を防止するようにしている。従って、内レール上片で弾んだファール球は、ほとんど弾むことなく内レール上片に沿って落下し、ファール球排出口に直行することができる。
次に、誘導経路幅広部内でファール球となった遊技球が落下する際に、内レール上で弾む等の原因によって誘導経路狭幅部内に入り込む虞も残り、この場合、後続発射球との衝突を回避できなくなる。請求項３の発明では、誘導経路狭幅部の上部開口に中間球戻り防止部材の舌片を突出配置したので、ファール球は舌片により誘導経路狭幅部内に逆戻りすることを防止されると共に、そのままファール球排出口へ案内される。
【図面の簡単な説明】
【図１】本発明の一実施形態に係るパチンコ遊技機の主要部分の概略構成を説明するための図。
【図２】図１のパチンコ遊技機の特徴的な動作原理を説明するための略図。
【図３】（ａ）及び（ｂ）は従来例に係るパチンコ遊技機の正面図、及び一部構成図。
【符号の説明】
１  木枠、２  前面枠、３  ガラス扉、４  遊技盤、６  前板、７  打球供給皿、８  遊技球発射ハンドル、９  下皿、１１  遊技領域、１２  図柄変動表示装置、１３  入賞口、１４  風車、２１  遊技球誘導経路、２２  外レール、２３内レール、２４  出口部、２５  球戻り防止部材、２５ａ  基部、２５ｂ  舌片、２６  ファール球排出口、３１  内レール下片、３１ａ  上端部、３２  内レール上片。
【図１】
0003839728.tif 000002
【図２】
0003839728.tif 000003
【図３】
0003839728.tif 000004